(57)【特許請求の範囲】
【請求項１】
圧力計測部と密閉ケースとからなり、計器内圧力調整の流通路を設けた圧力計において、
前記計器内圧力調整の流通路で、かつ、前記密閉ケースのカバーの中心部に、Ｏリング、支持筒、パッキング、ナット、支持軸、板状バネからなり、自動復帰形の圧力調整手段を設け、
前記支持筒及び前記パッキングを前記カバーに前記ナットで取付け、
前記支持筒の内部に前記支持軸を通し、該支持軸の先端に開閉部材を取付け、
前記支持軸の後端に板状バネの中心を取付け、該板状バネの外周部は前記カバーに当接させ、
前記開閉部材と前記支持筒の対向面は前記Ｏリングで気密構造とし、
前記開閉部材の不動作時は、前記板状バネの反発力で前記支持軸は圧力計測部側に引き寄せられ、前記開閉部材と前記支持筒は前記Ｏリングを介して密着させ、
前記開閉部材の動作時は、該開閉部材を引き出し、計器内に外気を流通させることができることを特徴とする圧力計。
【発明の詳細な説明】
【０００１】
【発明の属する技術分野】
本発明は、圧力計であり、特に流体装置に装着され、装置内の流体圧力を表示するための圧力計の計器内圧力調整構造に関する。
【０００２】
【従来の技術】
従来の圧力計は、その一部拡大断面図を図５に示すように、圧力計のカバー２に計器内圧力調整の流通路を有し、Ｏリング４を取付けた開閉部材（ツマミ）１で流通路を塞ぐ構成となってる。開閉部材１は、その先端が雄螺旋となっており、カバー２に設けた雌螺旋に取付け、螺旋の締付けにより気密を保持する構造となっている。圧力計は、屋外で使用する場合に圧力計内への塵埃、水等の異物侵入を防止する目的で密閉構造としている。しかし、密閉構造のため、圧力計内の温度により計器内の圧力が変化し、指示値に誤差を生じる。そのため、圧力計内に外気を流通させる通路を設け、通常はこの通路を開閉部材１で塞ぎ、計測時に開閉部材を操作して圧力計内に外気を流通させている。
【０００３】
【発明が解決しようとする課題】
上記従来技術は、開閉部材の操作性については配慮されておらず、開閉部材の取り扱いによって指示誤差を生じたり、異物侵入によって圧力計の信頼性を損なう等の問題があった。また、バネを用いた圧力計も提案されている（特開平９‐３２９５１５号公報参照）が、この操作性を考慮していない。
【０００４】
本発明は、従来技術の問題を解決するものであり、開閉部材の操作誤りによる指示誤差及び計器内部への異物侵入を防止し、圧力計の信頼性を向上させ、さらに、計器内圧力調整が容易な圧力計を提供することを目的とする。
【０００５】
【課題を解決するための手段】
本発明は、圧力計測部と密閉ケースとからなり、計器内圧力調整の流通路を設けた圧力計において、前記計器内圧力調整の流通路で、かつ、前記密閉ケースのカバーの中心部に、Ｏリング、支持筒、パッキング、ナット、支持軸、板状バネからなり、自動復帰形の圧力調整手段を設け、前記支持筒及び前記パッキングを前記カバーに前記ナットで取付け、
前記支持筒の内部に前記支持軸を通し、該支持軸の先端に開閉部材を取付け、前記支持軸の後端に板状バネの中心を取付け、該板状バネの外周部は前記カバーに当接させ、前記開閉部材と前記支持筒の対向面は前記Ｏリングで気密構造とし、前記開閉部材の不動作時は、前記板状バネの反発力で前記支持軸は圧力計測部側に引き寄せられ、前記開閉部材と前記支持筒は前記Ｏリングを介して密着させ、前記開閉部材の動作時は、該開閉部材を引き出し、計器内に外気を流通させることができることを特徴とする。
【０００８】
【発明の実施の形態】
以下、本発明の実施の形態を説明する。本発明の圧力計の実施例について、図１〜図４を用いて説明する。図１は、実施例１の圧力計の一部断面側面図である。図２は、実施例１の圧力計の一部拡大断面図である。図３は、実施例２の圧力計の一部拡大断面図である。図４は、実施例３の圧力計の一部拡大断面図である。
【０００９】
実施例１を説明する。本実施例の圧力計は、図１に示すように、圧力計測部と密閉ケースとからなる。圧力計測部は、開閉部材（ツマミ）１、カバー２、ケース３で密閉構造となっており、内部に計測本体部を有する。カバー２は、ケース３の開口部分を覆っており、計器内が透視できる様にメタクリル樹脂等の透明の材料からなる。開閉部材１、ケース３は、耐候性を考慮し、ステンレス性が好ましい。本実施例の圧力調整手段は、図２に開閉部材１付近の構造を示すように、Ｏリング４、支持筒５、コイル状バネ６、パッキング７、ナット８及び支持軸９からなり、支持筒５、パッキング７をカバー２にナット８で取付け、支持筒５の内部にコイル状バネ６、支持軸９を通し、その先端に開閉部材１を取付け形成されている。開閉部材１と支持筒５の対向面はＯリング４で気密構造となっている。開閉部材１を引き出すことにより、計器内に外気が流通する。開閉部材１の最大移動距離は、支持筒５、コイル状バネ６、支持軸９の寸法関係で一義的に決めることができる。実施例１の圧力計において、開閉部材１は、圧力調整手段により、自動復帰して気密構造とすることができる。
【００１０】
実施例２を説明する。本実施例の圧力計は、図３に示すように、開閉部材１及び圧力調整手段を備えている。圧力調整手段は、Ｏリング４、コイル状バネ６及び支持軸９からなり、カバー２の圧力計測部側にＯリング４を配設し、気密構造としたものである。本実施例においては、開閉部材１を押し込むことにより、計器内に外気を流通させることができる。開閉部材１を押し込んだ際、外気が流通しやすいい様に開閉部材１に外気流通のための孔あるいは切り欠きを設けるのが好ましい。開閉部材１の最大移動距離は、開閉部材１、コイル状バネ６、支持軸９の寸法関係で一義的に決めることができる。実施例２の圧力計においても、開閉部材１は、圧力調整手段により、自動復帰して気密構造とすることができる。
【００１１】
実施例３を説明する。本実施例において、圧力調整手段は、図４に示すように、Ｏリング４、支持筒５、パッキング７、ナット８、支持軸９、板状バネ１０からなり、支持筒５、パッキング７をカバー２にナット８で取付け、支持筒５の内部に支持軸９を通し、その先端に開閉部材１を取付け形成されている。開閉部材１と支持筒５の対向面はＯリング４で気密構造となっている。開閉部材１の不動作時は、板状バネ１０の反発力で支持軸９は圧力計測部側に引き寄せられ、開閉部材１と支持筒５はＯリング４を介して密着しているが、開閉部材１を引き出すことにより、計器内に外気を流通させることができる。開閉部材１の最大移動距離は、支持筒５、板状バネ１０、支持軸９の寸法関係で一義的に決めることができる。実施例３の圧力計においても、開閉部材１は、圧力調整手段により、自動復帰して気密構造とすることができる。
【００１２】
上記実施例で説明したように、本発明の圧力計は、開閉部材を最大距離まで引き出して計器内圧力を調整しても、その後に確実に気密状態に復帰させることができる。なお、操作を容易にするため、圧力調整手段を計器正面カバーに設け、圧力調整操作の視認性を向上させることも可能である。
【００１３】
【発明の効果】
本発明によれば、計器内圧力調整の流通路に操作が容易な自動復帰形の圧力調整手段を設けているので、開閉部材の操作誤りによる指示誤差及び計器内部への異物侵入を防止し、信頼性を向上させた圧力計を得ることができる。
【図面の簡単な説明】
【図１】実施例１の圧力計の一部断面側面図。
【図２】実施例１の圧力計の一部拡大断面図。
【図３】実施例２の圧力計の一部拡大断面図。
【図４】実施例３の圧力計の一部拡大断面図。
【図５】従来の技術に係る一部拡大断面図。
【符号の説明】
１  開閉部材
２  カバー
３  ケース
４  Ｏリング
５  支持筒
６  コイル状バネ
７  パッキング
８  ナット
９  支持軸
１０  板状バネ
【図１】
0003958570.tif 000002
【図２】
0003958570.tif 000003
【図３】
0003958570.tif 000004
【図４】
0003958570.tif 000005
【図５】
0003958570.tif 000006